(57)【特許請求の範囲】
【請求項１】
電気掃除機本体の吸気経路の吸気側に設けられた接続口と、前記接続口の内面に設けられた凹部と、接続管を介して前記接続口に装着される吸気管と、前記接続管の外面に設けられた空間と、前記空間内に回動可能に軸支されたロック子と、前記ロック子の先端に形成された凸部と、前記ロック子を前記空間の外側へ付勢するバネとを備え、前記接続管を前記接続口に挿入することにより、前記バネの付勢力によって前記ロック子の凸部と前記接続口の凹部を嵌合させるものにおいて、
前記ロック子の回動軸が前記接続管の軸方向にスライド可能なスライド溝を前記空間の内面に設けるとともに、前記ロック子の回動制止機構を前記空間及び前記ロック子に設けたことを特徴とする電気掃除機の接続管の接続構造。
【請求項２】
前記回動制止機構は、前記接続管を挿入後、わずかに引くことにより、前記空間の後面と前記ロック子の先端を互いの当接面で係合させるものであることを特徴とする請求項１に記載の電気掃除機の接続管の接続構造。
【請求項３】
前記空間の後面と前記ロック子の先端の当接面を断面Ｌ字型に形成したことを特徴とする請求項２に記載の電気掃除機の接続管の接続構造。
【請求項４】
電気掃除機本体の吸気経路の吸気側に設けられた接続口と、前記接続口の内面に設けられた空間と、接続管を介して前記接続口に装着される吸気管と、前記接続管の外面に設けられた凹部と、前記空間内に回動可能に軸支されたロック子と、前記ロック子の先端に形成された凸部と、前記ロック子を前記空間の外側へ付勢するバネとを備え、前記接続管を前記接続口に挿入することにより、前記バネの付勢力によって前記ロック子の凸部と前記接続管の凹部を嵌合させるものにおいて、
前記ロック子の回動軸が前記接続管の軸方向にスライド可能なスライド溝を前記空間の内面に設けるとともに、前記ロック子の回動制止機構を前記空間及び前記ロック子に設けたことを特徴とする電気掃除機の接続管の接続構造。
【請求項５】
前記回動制止機構は、前記接続管を挿入後、わずかに引くことにより、前記空間の前面と前記ロック子の先端を互いの当接面で係合させるものであることを特徴とする請求項４に記載の電気掃除機の接続管の接続構造。
【発明の詳細な説明】
【０００１】
【発明の属する技術分野】
本発明は、電気掃除機の吸気管の一端に設けた接続管を掃除機本体に着脱自在に接続する接続構造に関するものである。
【０００２】
【従来の技術】
図７は、従来の電気掃除機の一例を示す外観側面図である。１は、電動送風機２を内装した掃除機本体である。掃除機本体１の前面には、電動送風機２の吸気側に連通する接続口７が筒状に開口形成されている。また、電動送風機２の排気側は、外気に連通している。３は、床面清掃用の吸込口体であり、その上面には一定の長さで伸縮可能な吸気管４の一端が回動自在に装着されている。吸気管４の他端側の屈曲部には、取っ手４ａが設けられている。吸気管４の他端には、所定の長さに選ばれた可撓性を有するホース５が固着されている。更に、ホース５の下流端には、ホース５を接続口７に着脱可能に接続するために、接続管６が取付けられている。
【０００３】
図８は、この電気掃除機における接続管６と接続口７の接続構造を示す要部の断面図である。筒状の接続口７の先端の内面には、凹部１１が設けられている。接続管６の外面で、先端から所定の距離を隔てた部分には、ロック子８が没入可能な空間１０が形成されている。この接続管６の空間１０の一部は、図示のごとく、接続口７の凹部１１と対向している。
【０００４】
ロック子８は、空間１０より前方において、回動軸８ａを介して接続管６に対して回動自在に軸支されている。空間１０の底面には、ロック子８を上方向（図中矢印Ｙと反対方向）に付勢する板バネ等のバネ９が設けられている。空間１０の上面には、接続管６の外面と面一に一体形成された壁面６ａがあるので、バネ９に付勢されたロック子８は壁面６ａと当接して、その回動が規制される。
【０００５】
ロック子８の先端部は、接続口７の凹部１１に嵌合する凸部８１となっている。凸部８１は、傾斜面８１ａと垂直面８１ｂにて鉤型をなしている。ロック子８の長手のほぼ中央には、外部から押圧できる操作部８２が凸設されている。そして、空間１０の壁面６ａには、これらロック子８の凸部８１と操作部８２が挿通する孔が設けられている。したがって、ロック子８はバネ９に付勢されると、その凸部８１が凹部１１に嵌合するとともに、操作部８２が壁面６ａから空間１０の外部に突出する。
【０００６】
これにより、ロック子８が接続口７の凹部１１に係止されるので、接続管６に抜ける方向の力が加わっても、接続管６は接続口７から離脱しなくなる。接続管６を接続口７から抜き取るときは、ロック子８の操作部８２をバネ９の付勢力に抗して押し下げることにより、ロック子８と凹部１１の係合を解除する。
【０００７】
【発明が解決しようとする課題】
しかしながら、清掃時には取っ手４ａをつかんで掃除機本体１を引き回す必要があるため、掃除機本体１の移動中に段差などに衝突して、接続管６に強い引き抜きの力が加わった場合、ロック子８がバネ９の付勢力に抗して下方向（矢印Ｙの方向）に回動し、ロック子８の凸部８１が凹部１１から外れて、接続管６と共にホース５が掃除機本体１から抜けるというおそれがあった。
【０００８】
そこで、本発明は、簡単な操作で接続管を脱着可能でありながら、清掃中に接続管が本体から容易に抜けることのない電気掃除機の接続管の接続構造を提供することを目的とする。
【０００９】
【課題を解決するための手段】
上記目的を達成するため本発明の電気掃除機の接続管の接続構造は、電気掃除機本体の吸気経路の吸気側に設けられた接続口と、前記接続口の内面に設けられた凹部と、接続管を介して前記接続口に装着される吸気管と、前記接続管の外面に設けられた空間と、前記空間内に回動可能に軸支されたロック子と、前記ロック子の先端に形成された凸部と、前記ロック子を前記空間の外側へ付勢するバネとを備え、前記接続管を前記接続口に挿入することにより、前記バネの付勢力によって前記ロック子の凸部と前記接続口の凹部を嵌合させるものにおいて、前記ロック子の回動軸が前記接続管の軸方向にスライド可能なスライド溝を前記空間の内面に設けるとともに、前記ロック子の回動制止機構を前記空間及び前記ロック子に設けたことを特徴とする。
【００１５】
したがって、接続管を掃除機本体の接続口に接続すると、ロック子の回動制止機構が働き、接続管と接続口の強固な連結が保持される。
【００１６】
この場合、前記接続管を挿入後、わずかに引くことにより、前記空間の後面と前記ロック子の先端を互いの当接面で係合させることにより、ロック子の回動が制止される。具体的には、前記空間の後面と前記ロック子の先端の当接面を断面Ｌ字型に形成することによって実現できる。
【００１７】
また、電気掃除機本体の吸気経路の吸気側に設けられた接続口と、前記接続口の内面に設けられた空間と、接続管を介して前記接続口に装着される吸気管と、前記接続管の外面に設けられた凹部と、前記空間内に回動可能に軸支されたロック子と、前記ロック子の先端に形成された凸部と、前記ロック子を前記空間の外側へ付勢するバネとを備え、前記接続管を前記接続口に挿入することにより、前記バネの付勢力によって前記ロック子の凸部と前記接続管の凹部を嵌合させるものにおいて、前記ロック子の回動軸が前記接続管の軸方向にスライド可能なスライド溝を前記空間の内面に設けるとともに、前記ロック子の回動制止機構を前記空間及び前記ロック子に設けたことを特徴とする。
【００１８】
したがって、接続管を掃除機本体の接続口に接続すると、ロック子の回動制止機構が働き、接続管と接続口の強固な連結が保持される。
【００１９】
この場合、前記接続管を挿入後、わずかに引くことにより、前記空間の前面と前記ロック子の先端を互いの当接面で係合させることにより、ロック子の回動が制止される。
【００２０】
【発明の実施の形態】
本発明の第１の実施形態について図面を参照して説明する。図１は、本発明の第１の実施形態に係る電気掃除機の接続管の接続構造を示す要部の断面図である。この図において、図７及び図８の従来例と同じ名称の部材には同一の符号を附し、その詳細な説明を省略する。
【００２１】
凹部１１の前面には、斜面１１ａと垂直面１１ｂによって断面逆コの字型の凹凸が形成されている。凸部８１の前面にも、斜面８１ｃと垂直面８１ｂによって断面コの字型の凸凹が形成されている。
【００２２】
接続管６を接続口７へ装着する時の作業について説明する。まず、接続管６と接続口７を着脱自在に係合する係合機構について説明する。接続管６を接続口７とほぼ同軸となるようにまっすぐ（矢印Ｐの方向）に挿入する。このとき、ロック子８を目印として、接続管６の外面の空間１０側が上になるようにする。このようにして、接続管６を奥まで挿入すると、接続管６、空間１０、ロック子８等は破線で示す位置に達する。同時に、ロック子８の凸部８１が接続口７の凹部１１と嵌合する。なお、ロック子８は、回動軸８ａを有さず、単にバネ９で上方向に付勢されるものであってもよい。
【００２３】
ついで、接続管６と接続口７の上記嵌合（係合）を保持する保持機構について説明する。接続口７に挿入した接続管６を矢印Ｑの方向にわずかに引く。これにより、接続管６は実線で示す位置に達し、接続口７の凹部１１とロック子８の凸部８１の前面同士が当接し、それらに形成された凹部１１の逆コの字型の凹凸と凸部８１のコの字型の凸凹が相互に噛合し、ロック子８が空間１０内で下方向（矢印Ｙの方向）に回動するのが制止される。したがって、清掃中の衝撃により、接続管６に抜け方向（矢印Ｑの方向）に強い荷重が生じてもロック子８の凸部８１が、凹部１１から外れることはなく、接続管６と接続口７の連結が確実に保持される。
【００２４】
接続管６を接続口７から引き抜くときは、接続管６を矢印Ｐの方向へ押し込んで凹部１１と凸部８１の当接面の噛合を解除した後、ロック子８の操作部８２を矢印Ｙの方向へ押し下げて凹部１１と凸部８１の嵌合を解除する。そして、この状態で接続管６を矢印Ｑの方向へ引き抜く。
【００２５】
図２は、本実施形態の変形例を示している。接続口７の凹部１１とロック子８の凸部８１の当接面を、垂直方向から前方（矢印Ｑの方向）に傾斜角度θだけ傾いた凹の傾斜面１１ｃ及び凸のの傾斜面８１ｄにてそれぞれ形成している。そして、これらの傾斜面１１ｃ，８１ｄ同士の接触によって係合させ、ロック子８が空間１０内で下方向（矢印Ｙの方向）に回動するのが制止されるようにしている。したがって、清掃中の衝撃により、接続管６に抜け方向（矢印Ｑの方向）に強い荷重が生じてもロック子８の凸部８１が、凹部１１から外れることはなく、接続管６と接続口７の連結が確実に保持される。
【００２６】
本発明の第２の実施形態について図面を参照して説明する。図３は、本発明の第２の実施形態に係る電気掃除機の接続管の接続構造を示す要部の断面図である。この図において、図１の上記第１の実施形態と同じ名称の部材には同一の符号を附している。
【００２７】
この実施形態は、図１における接続管６の外面の空間１０と接続口７の内面の凹部１１の関係を逆にし、図３に示すように、接続口７の内面に空間１０を、接続管６の外面に凹部１１をそれぞれ形成したことを特徴としている。すなわち、筒状の接続口７の内面に、ロック子８が没入可能な空間１０を設け、接続管６の外面で、先端から所定の距離を隔てた部分に、凹部１１を形成している。この接続管６の凹部１１は、図示のごとく、接続口７の空間１０と対向している。
【００２８】
ロック子８は、空間１０の後部において、回動軸８ａを介して接続口７に対して回動自在に軸支されている。空間１０の上面には、ロック子８を下方向（図中矢印Ｚと反対方向）に付勢するコイルバネ等のバネ９が設けられている。空間１０の底面は開放されている。
【００２９】
ロック子８の先端部は、接続管６の凹部１１に嵌合する凸部８１となっている。凸部８１の前面は、前方が高く後方が低くなる傾斜面８１ａになされている。凸部８１の後面には、斜面８１ｃと垂直面８１ｂによって断面逆コの字型の凹凸が形成されている。凹部１１の前面にも、斜面１１ａと垂直面１１ｂによって断面コの字型の凸凹が形成されている。ロック子８の凸部８１のわずかに後方には、外部から押圧できる操作部８２が凸設されている。空間１０の上面には、操作部８２が挿通される孔７ａが設けられている。したがって、ロック子８はバネ９に付勢されても、前方へ折れ曲がった操作部８２が接続口７に当接し、その凸部８１以外が空間１０の下方へ露出することがないようになっている。
【００３０】
接続管６を接続口７へ装着する時の作業について説明する。まず、接続管６を接続口７とほぼ同軸となるようにまっすぐ（矢印Ｐの方向）に挿入する。このとき、凹部１１が上になるようにする。このようにして、接続管６を奥まで挿入すると、接続管６は破線で示す位置に達する。同時に、ロック子８の凸部８１が接続管６の凹部１１と嵌合する。なお、ロック子８は、回動軸８ａを有さず、単にバネ９で上方向に付勢されるものであってもよい。
【００３１】
ついで、挿入した接続管６を矢印Ｑの方向にわずかに引く。これにより、接続管６は実線で示す位置に達し、接続管６の凹部１１とロック子８の凸部８１の後面同士が当接し、それらに形成された凹部１１のコの字型の凸凹と凸部８１の逆コの字型の凹凸が相互に噛合し、ロック子８が空間１０内で上方向（矢印Ｚの方向）に回動するのが制止される。したがって、清掃中の衝撃により、接続管６に抜け方向（矢印Ｑの方向）に強い荷重が生じてもロック子８の凸部８１が、凹部１１から外れることはなく、接続管６と接続口７の連結が確実に保持される。
【００３２】
接続管６を接続口７から引き抜くときは、接続管６を矢印Ｐの方向へ押し込んで凹部１１と凸部８１の当接面の噛合を解除した後、ロック子８の操作部８２を矢印Ｚの方向へ押し上げて凹部１１と凸部８１の嵌合を解除する。そして、この状態で接続管６を矢印Ｑの方向へ引き抜く。
【００３３】
図４は、本実施形態の変形例を示している。接続管６の凹部１１とロック子８の凸部８１の当接面を、垂直方向から後方（矢印Ｐの方向）に傾斜角度θだけ傾いた凹の傾斜面１１ｃ及び凸の傾斜面８１ｄにてそれぞれ形成している。そして、これらの傾斜面１１ｃ，８１ｄ同士の接触によって係合させ、ロック子８が空間１０内で上方向（矢印Ｚの方向）に回動するのが制止されるようにしている。したがって、清掃中の衝撃により、接続管６に抜け方向（矢印Ｑの方向）に強い荷重が生じてもロック子８の凸部８１が、凹部１１から外れることはなく、接続管６と接続口７の連結が確実に保持される。
【００３４】
本発明の第３の実施形態について図面を参照して説明する。図５は、本発明の第３の実施形態に係る電気掃除機の接続管の接続構造を示す要部の断面図である。この図において、図１の上記第１の実施形態と同じ名称の部材には同一の符号を附し、その詳細な説明を省略する。
【００３５】
ロック子８は、回動軸８ａも含めて接続管６の空間１０に収められている。ロック子８を軸支する空間１０の内面には、ロック子８の回動軸８ａが接続管６の軸方向にスライド可能なスライド溝１２が設けられている。ロック子８の凸部８１と凹部１１の嵌合により、回動軸８ａはスライド溝１２に沿ってスライド可能となる。
【００３６】
ロック子８の凸部８１の斜面８１ａは、垂直面８１ｅを有して途中に段差８１ｅが形成され、凸部８１はこの段差８１ｅより前方の部分で凹部１１と嵌合している。この嵌合によって、凹部１１の後縁下端のエッジ部１１ｄが凸部８１の段差８１ｅと係合し、ロック子８は軸方向（矢印Ｐ及びＱの方向）の移動が制止される。また、空間１０の後面とロック子８の凸部８１の先端には、互いに当接して係合可能なＬ字型の段部１０ａ，８ｂが形成されている。
【００３７】
接続管６を接続口７へ装着する時の作業について説明する。まず、接続管６を接続口７とほぼ同軸となるようにまっすぐ（矢印Ｐの方向）に挿入する。このとき、ロック子８を目印として、接続管６の外面の空間１０側が上になるようにする。このようにして、接続管６を奥まで挿入すると、接続管６、空間１０、ロック子８等は破線で示す位置に達する。同時に、ロック子８の凸部８１が接続口７の凹部１１と嵌合する。なお、ロック子８は、回動軸８ａを有さず、単にバネ９で上方向に付勢されるものであってもよい。
【００３８】
ついで、挿入した接続管６を矢印Ｑの方向にわずかに引く。これにより、接続管６はスライド溝１２と共に実線で示す位置に達し、ロック子８は初期位置を保ったまま回動軸８ａがスライド溝１２に沿ってスライドする。接続管６の空間１０の後面とロック子８の凸部８１の先端が当接し、それらに形成されたＬ字型の段部１１ｄ，８ｂ同士が係合し、ロック子８が空間１０内で下方向（矢印Ｙの方向）に回動するのが制止される。したがって、清掃中の衝撃により、接続管６に抜け方向（矢印Ｑの方向）に強い荷重が生じてもロック子８の凸部８１が、凹部１１から外れることはなく、接続管６と接続口７の連結が確実に保持される。
【００３９】
接続管６を接続口７から引き抜くときは、接続管６を矢印Ｐの方向へ押し込んで凹部１１と凸部８１の当接面の係合を解除した後、ロック子８の操作部８２を矢印Ｙの方向へ押し下げて凹部１１と凸部８１の嵌合を解除する。そして、この状態で接続管６を矢印Ｑの方向へ引き抜く。
【００４０】
本発明の第４の実施形態について図面を参照して説明する。図６は、本発明の第４の実施形態に係る電気掃除機の接続管の接続構造を示す要部の断面図である。この図において、図３の上記第２の実施形態と同じ名称の部材には同一の符号を附している。
【００４１】
この実施形態は、図５における接続管６の外面の空間１０と接続口７の内面の凹部１１の関係を逆にし、図６に示すように、接続口７の内面に空間１０を、接続管６の外面に凹部１１をそれぞれ形成したことを特徴としている。すなわち、筒状の接続口７の内面には、ロック子８が没入可能な空間１０が設け、接続管６の外面で、先端から所定の距離を隔てた部分に、凹部１１を形成している。この接続管６の凹部１１は、図示のごとく、接続口７の空間１０と対向している。
【００４２】
ロック子８は、空間１０の後部において、回動軸８ａを介して接続口７に対して回動自在に軸支されている。空間１０の上面には、ロック子８を下方向（図中矢印Ｙと反対方向）に付勢するコイルバネ等のバネ９が設けられている。空間１０の底面は開放されている。ロック子８を軸支する空間１０の内面には、ロック子８の回動軸８ａが接続口７の軸方向にスライド可能なスライド溝１２が設けられている。ロック子８の凸部８１と凹部１１の嵌合により、回動軸８ａはスライド溝１２に沿ってスライド可能となる。
【００４３】
ロック子８の凸部８１の前面は、段差８１ｇ有するように形成されている。この嵌合によって、ロック子８は軸方向（矢印Ｐ及びＱの方向）の移動が制止される。また、空間１０の前面には、凸部８１の先端部８１ｈが挿入して係合可能なＬ字型の空洞１０ｂが形成されている。空間１０の上面には、操作部８２が挿通される孔７ａが設けられている。したがって、ロック子８はバネ９に付勢されても、前方へ折れ曲がった操作部８２が接続口７に当接し、その凸部８１以外が空間１０の下方へ露出することがないようになっている。
【００４４】
接続管６を接続口７へ装着する時の作業について説明する。まず、接続管６を接続口７とほぼ同軸となるようにまっすぐ（矢印Ｐの方向）に挿入する。このとき、凹部１１が上になるようにする。このようにして、接続管６を奥まで挿入すると、接続管６は破線で示す位置に達する。同時に、ロック子８の凸部８１が接続管６の凹部１１と嵌合する。なお、ロック子８は、回動軸８ａを有さず、単にバネ９で上方向に付勢されるものであってもよい。
【００４５】
ついで、挿入した接続管６を矢印Ｑの方向にわずかに引く。これにより、接続管６は実線で示す位置に達し、回動軸８ａがスライド溝１２に沿ってスライドすることにより、ロック子８は移動する。そして、空間１０の空洞１０ｂにロック子８の凸部８１の先端部８１ｈが挿入されて係合し、ロック子８が空間１０内で上方向（矢印Ｚの方向）に回動するのが制止される。したがって、清掃中の衝撃により、接続管６に抜け方向（Ｑの方向）に強い荷重が生じてもロック子８の凸部８１が、凹部１１から外れることはなく、接続管６と接続口７の連結が確実に保持される。
【００４６】
接続管６を接続口７から引き抜くときは、接続管６を矢印Ｐの方向へ押し込んで空間１０と凸部８１の係合を解除した後、ロック子８の操作部８２を矢印Ｚの方向へ押し上げて凹部１１と凸部８１の嵌合を解除する。そして、この状態で接続管６を矢印Ｑの方向へ引き抜く。
【００４７】
【発明の効果】
以上説明したように本発明によると、吸気管の末端に設けられた接続管を本体の接続口に容易に着脱できるとともに、清掃中の衝撃により、接続管の抜け方向に強い荷重が生じても、接続管と接続口の連結が確実に保持され、接続管が不測の抜けるおそれがなくなる。
【図面の簡単な説明】
【図１】    本発明の第１の実施形態に係る電気掃除機の接続管の接続構造を示す要部の断面図である。
【図２】    その電気掃除機の接続管の接続構造の他の例を示す要部の断面図である。
【図３】    本発明の第２の実施形態に係る電気掃除機の接続管の接続構造を示す要部の断面図である。
【図４】    その電気掃除機の接続管の接続構造の他の例を示す要部の断面図である。
【図５】    本発明の第３の実施形態に係る電気掃除機の接続管の接続構造を示す要部の断面図である。
【図６】    本発明の第４の実施形態に係る電気掃除機の接続管の接続構造を示す要部の断面図である。
【図７】    従来の電気掃除機の一例を示す外観側面図である。
【図８】    その電気掃除機における接続管と接続口の接続構造を示す要部の断面図である。
【符号の説明】
１    電気掃除機本体
６    接続管
７    接続口
８    ロック子
８１    凸部
９    バネ
１０    空間
１１    凹部
【図１】
0003805229.tif 000002
【図２】
0003805229.tif 000003
【図３】
0003805229.tif 000004
【図４】
0003805229.tif 000005
【図５】
0003805229.tif 000006
【図６】
0003805229.tif 000007
【図７】
0003805229.tif 000008
【図８】
0003805229.tif 000009